(57)【要約】【課題】被検体に安心感を与え易く、かつ、検出器の位置合わせを容易に行うことができるＸ線撮影装置を提供する。【解決手段】Ｘ線撮影装置１は、被検体Ｍを透過したＸ線を検出するＦＰＤ７と、ＦＰＤ７と被検体Ｍとの間に配置され、印加された電圧に応じて光の透過率が変わる調光シート２５と、を備えている。調光シート２５の光の透過率を上げて、調光シート２５越しにＦＰＤ７を容易に視認できるようにすることが可能である。また、調光シート２５の光の透過率を下げて、調光シート２５を通してＦＰＤ７を容易に視認できないようにすることも可能である。よって、たとえば、ＦＰＤ７の位置合わせの際は調光シート２５越しにＦＰＤ７を容易に視認できるようにし、被検体Ｍの撮影の際は調光シート２５を通してＦＰＤ７を容易に視認できないようにすることができる。【選択図】図１
2013116140.tif 000002
【特許請求の範囲】
【請求項１】
Ｘ線撮影装置であって、
被検体を透過したＸ線を検出する検出器と、
前記検出器と被検体との間に配置され、印加された電圧に応じて光の透過率が変わる調光部材と、
を備えているＸ線撮影装置。
【請求項２】
請求項１に記載のＸ線撮影装置において、
前記調光部材は、印加された電圧に応じて透明および不透明になるＸ線撮影装置。
【請求項３】
請求項１または請求項２に記載のＸ線撮影装置において、
前記調光部材は天板または衝立を構成するＸ線撮影装置。
【請求項４】
請求項１から請求項３のいずれかに記載のＸ線撮影装置において、
術者によって操作され、前記調光部材に印加される電圧を変えて前記調光部材の光の透過率を調節する透過率調節部を備えているＸ線撮影装置。
【請求項５】
請求項４に記載のＸ線撮影装置において、
前記透過率調節部は、前記調光部材を透明と不透明との間で切り替えるＸ線撮影装置。
【請求項６】
請求項４または請求項５に記載のＸ線撮影装置において、
被検体の存否を検知する人感センサを備え、
前記人感センサの検知結果に基づいて被検体がいると判定したときは、術者による透過率調節部の操作に関わらず、前記調光部材を不透明にするロック制御部と、
を備えているＸ線撮影装置。
【請求項７】
請求項１から請求項３のいずれかに記載のＸ線撮影装置において、
Ｘ線管の移動、前記検出器の移動、照射野ランプの点灯、Ｘ線の照射、及び、天板の移動の少なくともいずれかの動作と連動して、前記調光部材に印加される電圧を制御して前記調光部材の光の透過率を変更する連動制御部を備えているＸ線撮影装置。
【請求項８】
請求項７に記載のＸ線撮影装置において、
術者によって操作され、前記連動制御部と連動する動作をさせるための操作部を備え、
前記連動制御部は、術者による前記操作部の操作に基づいて前記調光部材の光の透過率を変更するＸ線撮影装置。
【請求項９】
請求項７または請求項８に記載のＸ線撮影装置において、
被検体の存否を検知する人感センサを備え、
前記人感センサの検知結果に基づいて被検体がいると判定したときは、前記連動制御部と連動する動作の有無に関わらず、前記調光部材を不透明にするＸ線撮影装置。
【請求項１０】
請求項１から請求項３のいずれかに記載のＸ線撮影装置において、
被検体の存否を検知する人感センサと、
前記人感センサの検知結果に基づいて、前記調光部材に印加される電圧を制御して前記調光部材の光の透過率を変更するセンサ制御部と、
を備えているＸ線撮影装置。
【請求項１１】
請求項１０に記載のＸ線撮影装置において、
前記センサ制御部は、前記人感センサの検知結果に基づいて、被検体がいると判定したときは前記調光部材を不透明にし、被検体がいないと判定したときは前記調光部材を透明にするＸ線撮影装置。
【請求項１２】
請求項１から請求項１１のいずれかに記載のＸ線撮影装置において、
前記調光部材は、屈曲自在なシート状物であるＸ線撮影装置。
【発明の詳細な説明】
【技術分野】
【０００１】
この発明は、被検体を透視撮影するＸ線撮影装置の技術に関する。
【背景技術】
【０００２】
従来、Ｘ線撮影装置においてはＸ線を検出する検出器が撮影テーブルや立位スタンドなどに設けられている。検出器が撮影テーブルに設けられている場合、被検体を載置する天板の下方に検出器が配置されている。また、検出器が立位スタンドに設けられている場合、検出器と被検体との間には衝立（「スクリーン」ともいう）が設置されることが多い。
【０００３】
これら天板や衝立（以下、適宜「天板等」という）は、不透明なものが採用される場合もあれば、透明なものが採用される場合もある。天板等が不透明であれば、検出器等は天板等に遮られて見えないので被検体に安心感を与え易い。他方、天板等が透明であれば、検出器が天板等を通して視認できるので、術者は検出器の位置合わせを容易に行うことができる。
【先行技術文献】
【特許文献】
【０００４】
【特許文献１】特開２００２−１５３４５７号公報
【発明の概要】
【発明が解決しようとする課題】
【０００５】
しかしながら、このような構成を有する従来例の場合には、次のような問題がある。
すなわち、天板等が不透明であれば術者も検出器を視認できないので、検出器の位置合わせを直接的に行い難い。この場合、検出器に付設さているハンドル等を目安にするなど、検出器の位置合わせを容易に行うことが困難であるという不都合がある。反対に、天板等が透明であれば、検出器等の機器類がむきだしになるので、被検体に対して安心感を与えにくいという不都合がある。
【０００６】
この発明は、このような事情に鑑みてなされたものであって、被検体に安心感を与え易く、かつ、検出器の位置合わせを容易に行うことができるＸ線撮影装置を提供することを目的とする。
【課題を解決するための手段】
【０００７】
この発明は、このような目的を達成するために、次のような構成をとる。
すなわち、本発明は、Ｘ線撮影装置であって、被検体を透過したＸ線を検出する検出器と、前記検出器と被検体との間に配置され、印加された電圧に応じて光の透過率が変わる調光部材と、を備えているＸ線撮影装置である。
【０００８】
［作用・効果］この発明に係るＸ線撮影装置によれば、検出器と被検体との間に調光部材を備えている。このため、調光部材の光の透過率を上げて、調光部材越しに検出器を容易に視認できるようにすることが可能である。また、調光部材の光の透過率を下げて、調光部材を通して検出器を容易に視認できないようにすることも可能である。また、調光部材の光の透過率は電圧によって変わるので、調光部材の光の透過率を速やかに変えることができる。よって、たとえば、検出器の位置合わせの際は調光部材越しに検出器を容易に視認できるようにし、被検体の撮影の際は調光部材を通して検出器を容易に視認できないようにすることが可能である。これにより、被検体に安心感を与え易くしつつ、術者は検出器の位置合わせを容易に行うことができる。
【０００９】
なお、「光の透過率」というときの「光」は可視光を意味する。
【００１０】
本発明において、前記調光部材は、印加された電圧に応じて透明および不透明になることが好ましい。調光部材を透明にしたときは、調光部材越しに検出器を明瞭に視認できる。また、調光部材を不透明にしたときは、調光部材越しに検出器を視認できないようにすることができる。よって、被検体に安心感を一層与え易くすることができる。また、検出器の位置合わせを一層的確に行うことができる。
【００１１】
ここで、「透明」とは、人が調光部材を通して物体を明瞭に視認することができる程度に調光部材の光の透過率が高いことを意味する。また、「不透明」とは、人が調光部材を通して物体を実質的に（または、実用上）視認できない程度に調光部材の光の透過率が低いことを意味する。
【００１２】
本発明において、前記調光部材は天板または衝立を構成することが好ましい。調光部材が天板または衝立を構成するので、装置構成を簡略化することができる。また、天板または衝立は比較的に大きく、この大きさの範囲内であれば調光部材の面積を容易に大きくすることができる。よって、術者にとっては検出器の位置合わせを一層容易に行うことができ、被検体に対しては安心感を一層与え易くすることができる。
【００１３】
なお、調光部材は、天板または衝立が有する複数の要素の一つであってもよいし、調光部材が天板そのもの、または、衝立そのものであってもよい。また、光の透過率が変わる範囲は、天板または衝立の全体であってもよいし、天板または衝立の一部であってもよい。
【００１４】
本発明において、術者によって操作され、前記調光部材に印加される電圧を変えて前記調光部材の光の透過率を調節する透過率調節部を備えていることが好ましい。術者は、透過率調節部を操作することで、調光部材の光の透過率を容易に変えることができる。
【００１５】
本発明において、前記透過率調節部は、前記調光部材を透明と不透明との間で切り替えることが好ましい。透過率調節部は、透明及び不透明の２つの間のみで調光部材を切り替える。術者が透過率調節部を操作するときは、術者は透明及び不透明のいずれかを選ぶだけである。よって、術者による操作を簡易なものとするができる。
【００１６】
本発明において、被検体の存否を検知する人感センサを備え、前記人感センサの検知結果に基づいて被検体がいると判定したときは、術者による透過率調節部の操作に関わらず、前記調光部材を不透明にするロック制御部と、を備えていることが好ましい。人感センサとロック制御部を備えているので、被検体がいるときは調光部材は自動的に不透明に維持される（不透明にロックされる）。これにより、調光部材を通して検出器を被検体に見せてしまうことを確実に回避することができる。
【００１７】
本発明において、Ｘ線管の移動、前記検出器の移動、照射野ランプの点灯、Ｘ線の照射、及び、天板の移動の少なくともいずれかの動作と連動して、前記調光部材に印加される電圧を制御して前記調光部材の光の透過率を変更する連動制御部を備えていることが好ましい。Ｘ線管の移動、前記検出器の移動、または、照射野ランプの点灯は、検出器の位置合わせの際によく行われる動作である。また、Ｘ線の照射、及び、天板の移動は、被検体がいる際によく行われる動作である。連動制御部は、これら各動作の少なくともいずれかと連動して制御するので、調光部材の光の透過率を状況に応じて適切に変更することができる。
【００１８】
本発明において、術者によって操作され、前記連動制御部と連動する動作をさせるための操作部を備え、前記連動制御部は、術者による前記操作部の操作に基づいて前記調光部材の光の透過率を変更することが好ましい。連動制御部は操作部の操作と連携しているので、調光部材の制御を上述した動作に好適に連動させることができる。
【００１９】
本発明において、被検体の存否を検知する人感センサを備え、前記人感センサの検知結果に基づいて被検体がいると判定したときは、前記連動制御部と連動する動作の有無に関わらず、前記調光部材を不透明にすることが好ましい。人感センサを備えているので、連動制御部は被検体の存否を的確に判定することができる。そして、連動制御部は、被検体がいるときは強制的に調光部材を不透明にする。これにより、調光部材を通して検出器を被検体に見せることを確実に回避することができる。
【００２０】
本発明において、被検体の存否を検知する人感センサと、前記人感センサの検知結果に基づいて、前記調光部材に印加される電圧を制御して前記調光部材の光の透過率を変更するセンサ制御部と、を備えていることが好ましい。センサ制御部は、人感センサの検知結果に基づいて制御するので、被検体の存否に応じて調光部材の光の透過率を適切に変更することができる。
【００２１】
本発明において、前記センサ制御部は、前記人感センサの検知結果に基づいて、被検体がいると判定したときは前記調光部材を不透明にし、被検体がいないと判定したときは前記調光部材を透明にすることが好ましい。被検体がいるときは調光部材越しに検出器が見えないので、被検体に安心感を与え易い。また、被検体がいないときは調光部材越しに検出器を視認できるので、検出器の位置合わせを容易に行うことができる。
【００２２】
本発明において、前記調光部材は、屈曲自在なシート状物であることが好ましい。調光部材が屈曲自在であるので、被検体と検出器との間に簡易に設置することができる。
【００２３】
なお、本明細書は、次のようなＸ線撮影装置に係る発明も開示している。
【００２４】
（１）上述した発明において、前記調光部材は前記検出器に取り付けられていることが好ましい。調光部材が検出器に取り付けられているので、光の透過率が変わる範囲を検出器と同等程度に小さくしても、検出器を視認しづらくすることができる。また、この場合において、調光部材は検出器と一体に移動可能であることが好ましい。検出器が移動しても調光部材と検出器の位置関係を適切に保つことができる。
【００２５】
（２）上述した発明において、前記連動制御部と連動する動作を検知するための動作検知部を備え、前記連動制御部は、前記動作検知部の検知結果に基づいて前記調光部材の光の透過率を変更することが好ましい。連動制御部は動作検知部と連携することにより、調光部材の制御を上述した各動作の少なくともいずれかと好適に連動させることができる。
【００２６】
（３）上述した発明において、前記連動制御部は、前記調光部材を透明と不透明との間で切り替えることが好ましい。また、上述した発明において、前記センサ制御部は、前記調光部材を透明と不透明との間で切り替えることが好ましい。術者は透明及び不透明のいずれかを選ぶだけでよく、術者は簡易に操作することができる。
【００２７】
（４）上述した発明において、術者によって操作され、前記連動制御部に解除命令を出力する解除指示部を備え、前記連動制御部は、解除命令を受けると、前記動作に連動した調光部材の光の透過率の制御を解除することが好ましい。また、上述した発明において、術者によって操作され、前記センサ制御部に解除命令を出力する解除指示部を備え、前記センサ制御部は、解除命令を受けると、前記人感センサの検知結果に応じた調光部材の光の透過率の制御を解除することが好ましい。解除指示部を備えているので、術者は連動制御部／センサ制御部の自動的な制御を解除することができる。
【００２８】
（５）上述した発明において、前記人感センサは、Ｘ線管の照視野において被検体の存否を検知することが好ましい。人感センサは、被検体の存在を適切な位置で検知することができる。よって、被検体が調光部材越しに検出器を見ることを適切に回避することができる。
【００２９】
（６）上述した発明において、前記調光部材は樹脂製または樹脂を主材とすることが好ましい。これによれば、調光部材のＸ線の吸収率を好適に低くすることができる（Ｘ線の透過率を好適に高くすることができる）。また、上述した発明において、前記調光部材のＸ線の吸収率はガラスより低いこと、あるいは、前記調光部材のＸ線吸収率はアクリルと同等以下であることが好ましい。これらによれば、Ｘ線撮影を好適に行うことができる。
【発明の効果】
【００３０】
この発明に係るＸ線撮影装置によれば、検出器と被検体との間に調光部材を備えている。このため、調光部材の光の透過率を上げて、調光部材越しに検出器を容易に視認できるようにすることが可能である。また、調光部材の光の透過率を下げて、調光部材を通して検出器を容易に視認できないようにすることも可能である。また、調光部材の光の透過率は電圧によって変わるので、調光部材の光の透過率を速やかに変えることができる。よって、たとえば、検出器の位置合わせの際は光部材越しに検出器を容易に視認できるようにし、被検体の撮影の際は調光部材を通して検出器を容易に視認できないようにすることが可能である。これにより、被検体に安心感を与え易くしつつ、術者は検出器の位置合わせを容易に行うことができる。
【図面の簡単な説明】
【００３１】
【図１】実施例１に係るＸ線撮影装置の概略構成図である。
【図２】調光シートが透明であるときの様子を模式的に示す斜視図である。
【図３】調光シートが不透明であるときの様子を模式的に示す斜視図である。
【図４】実施例２に係るＸ線撮影装置の概略構成を示すブロック図である。
【図５】実施例３に係るＸ線撮影装置の概略構成を示すブロック図である。
【図６】衝立が透明であるときの様子を模式的に示す斜視図である。
【図７】衝立が不透明であるときの様子を模式的に示す斜視図である。
【図８】変形実施例に係るＸ線撮影装置のブロック図である。
【図９】変形実施例に係るＸ線撮影装置のブロック図である。
【実施例１】
【００３２】
以下、図面を参照してこの発明の実施例１を説明する。
図１は、実施例１に係るＸ線撮影装置の概略構成図であり、図２は、調光シートが透明であるときの様子を模式的に示す斜視図であり、図３は、調光シートが不透明であるときの様子を模式的に示す斜視図である。
【００３３】
Ｘ線撮影装置１は、被検体ＭにＸ線を照射するＸ線管３と、被検体Ｍを載置する天板５と、被検体Ｍを透過したＸ線を検出するフラットパネル型Ｘ線検出器（以下、適宜「ＦＰＤ」という）７とを備えている。天板５及びＦＰＤ７は、撮影室の床上に設置される撮影テーブル９に搭載されている。天板５は、被検体Ｍを載置する上面が略水平となるような姿勢で設けられている。ＦＰＤ７は天板５の下面側に配置されている。ＦＰＤ７は、撮影テーブル９に対して水平方向に移動可能に設けられている。ＦＰＤ７は、本発明における検出器に相当する。
【００３４】
Ｘ線管３は、支柱１１に吊り下げ支持されている。支柱１１は、撮影室内を水平方向に移動可能に設けられている。また、支柱１１自体は、上下方向に伸縮可能な構造を有している。
【００３５】
Ｘ線管３には、コリメータ１３が取り付けられている。コリメータ１３は、Ｘ線管３で発生するＸ線の照射野Ｃを設定する。コリメータ１３は、点灯により照射野Ｃを明示する照射野ランプ（図示省略）を備えている。
【００３６】
Ｘ線管３には、さらに、術者によって操作される操作部１５が取り付けられている。操作部１５は、操作パネル１７およびハンドル１９を有する。操作パネル１７には、フリーボタンや点灯ボタンなどの各種の入力部が設けられている。フリーボタンを操作すると、支柱１１の水平移動や支柱１１自体の伸縮が許容された状態になる。点灯ボタンを操作すると、照射野ランプ（図示省略）が点灯する。
【００３７】
天板５は、アクリル板２３と調光シート２５とを備えている。アクリル板２３と調光シート２５は、調光シート２５が天板５の上面側となるように上下方向に積層されている。天板５の上面の広さは被検体Ｍよりも大きい。調光シート２５は、天板５の上面の全体にわたる範囲に設けられている。
【００３８】
アクリル板２３は調光シート２５に比べて厚く、被検体Ｍを撓むことなく支持可能な機械的強度（剛性）を有している。アクリル板２３は透明である。
【００３９】
調光シート２５は、アクリル板２３に比べて厚みが薄く、屈曲自在である。調光シート２５は、液晶層と、この液晶層を両側から挟むように設けられる一対の透明電極とを備えている（いずれも図示省略）。そして、一対の透明電極間に印加される電圧（以下、適宜「印加電圧」という）に応じて、調光シート２５の光の透過率が瞬時に変わる。
【００４０】
具体的には、印加電圧が所定の電圧のとき、液晶が一定方向に配向する。これにより、調光シート２５に入射する光は透過し、調光シート２５自体が透明になる。この場合、アクリル板２３も透明であるので、天板５全体としても透明になる。よって、図２は示すように、調光シート２５（天板５）を通してＦＰＤ７を明瞭に視認することができる。
【００４１】
他方、印加電圧が零（無電圧）のとき、液晶がランダムに配向する。これにより、調光シート２５に入射する光は散乱し、調光シート２５自体は不透明（たとえば、白濁した状態）になる。この場合、天板５全体としても不透明になる。よって、図３に示すように、調光シート２５（天板５）を通してＦＰＤ７を視認できない。
【００４２】
なお、本明細書において「透明」とは、人がアクリル板２３／調光シート２５を通して物体を明瞭に視認することができる程度にアクリル板２３／調光シート２５の光の透過率が高いことをいう。ここで、「光の透過率」とは、可視光の透過率の意味である。
【００４３】
この調光シート２５は、樹脂製または樹脂を主材とすることが好ましい。たとえば、一対の透明電極が樹脂製の基板（フィルム）上に設けられていることが好ましい。これにより、調光シート２５のＸ線吸収率を好適に低くすることができる。具体的には、調光シート２５のＸ線吸収率はガラスに比べて低いことが好ましい。また、調光シート２５のＸ線吸収率はアクリルと同等程度あるいはアクリルよりも低いことが好ましい。さらに、調光シート２５は、光の透過率が変化しても、Ｘ線吸収率は高くならないことが好ましい。調光シート２５は、本発明における調光部材に相当する。
【００４４】
調光シート２５には調光スイッチ２７が電気的に接続されている。調光スイッチ２７は撮影テーブル９に設置され、術者によって操作される。調光スイッチ２７は、術者の操作に応じて、調光シート２５の印加電圧を所定の電圧と無電圧との間で切り替える。これにより、調光シート２５の光の透過率が変わり、調光シート２５は透明と不透明の間で切り替わる。調光スイッチ２７は、本発明における透過率調節部に相当する。
【００４５】
次に、実施例１に係る診断用Ｘ線撮影装置１の動作例について説明する。
ＦＰＤ７の位置合わせを行うときは、術者は調光スイッチ２７を操作して、図２に示すように調光シート２５を透明にする。これにより、ＦＰＤ７は調光シート２５越しに明瞭に視認される。また、術者は操作パネル１７を操作して、照射野ランプを点灯させる。照射野ランプは照射野Ｃを明示する部位に投光する。術者は、照射野ランプの投光部位を目安にＦＰＤ７自体を視認しながら、ＦＰＤ７の位置合わせを行う。
【００４６】
また、被検体Ｍの撮影を行うときは、術者は調光スイッチ２７を操作して、図３に示すように調光シート２５を不透明に切り替える。これにより、ＦＰＤ７は調光シート２５越しに見えなくなる。続いて、天板５上に被検体Ｍを載置させる。そして、被検体ＭにＸ線管３からＸ線を照射し、透視または撮影といったＸ線撮影を行う。
【００４７】
このように、実施例１に係るＸ線撮影装置１によれば、印加電圧に応じて透明および不透明に切り替わる調光シート２５をＦＰＤ７と被検体Ｍとの間に配置しているので、調光シート２５越しにＦＰＤ７を明瞭に視認できるようにすることも、調光シート２５を通してＦＰＤ７を視認できないようにすることもできる。よって、位置合わせの際にはＦＰＤ７を視認できるようにし、Ｘ線撮影の際にはＦＰＤ７を視認できないようにすることができる。これにより、術者にとってはＦＰＤ７の位置合わせを容易に行うことができ、かつ、被検体Ｍに対しては安心感を与え易くすることができる。
【００４８】
また、調光シート２５は天板５の１要素として天板５を構成しているので、調光シート２５と天板を別個独立に設ける場合に比べて装置構成を簡略化することができる。また、調光シート２５が設けられる範囲は天板５の上面全体に及んでいるので、光の透過率が変わる範囲を十分に大きくすることができる。これにより、ＦＰＤ７がどの位置に移動していても、透明にした調光シート２５を通じてＦＰＤ７を確実に視認できる。また、ＦＰＤ７がどの位置に移動していても、不透明にした調光シート２５によってＦＰＤ７を確実に見えなくすることができる。さらに、天板５の下方に配備されるＦＰＤ７以外の機器類についても、不透明にした調光シート２５によって視認できないようにすることが可能である。
【００４９】
また、調光スイッチ２７は、透明及び不透明の２つの間で調光シート２５を切り替える。よって、術者は透明及び不透明のいずれかを選択するだけである。このため、術者による操作をより簡便なものにすることができる。
【００５０】
また、調光シート２５は樹脂製であるので、例えばガラスなどに比べて、調光シート２５のＸ線吸収率を低くすることできる。さらに、天板５は、調光シート２５を保持するアクリル板２３を備えているので、十分な機械的強度（剛性）を有し、Ｘ線吸収率が低い天板５を好適に実現できる。
【実施例２】
【００５１】
以下、図面を参照してこの発明の実施例２を説明する。なお、実施例１と同じ構成については同符号を付すことで詳細な説明を省略する。図４は、実施例２に係るＸ線撮影装置３１の概略構成を示すブロック図である。
【００５２】
実施例２の天板５は、アクリル板２３が天板５の上面側となるように、調光シート２５の上面にアクリル板２３が積層されている。
【００５３】
実施例２のＸ線撮影装置３１は、Ｘ線管移動機構３３を備えている。Ｘ線管移動機構３３は、Ｘ線管３を移動可能に支持する。このＸ線管移動機構３３は、操作部１５と接続されている。そして、術者による操作パネル１７の操作に応じて、Ｘ線管移動機構３３はＸ線管３の移動を許容した状態となる。この状態で、術者はハンドル１９等を操作してＸ線管３を自在に移動させることができる。
【００５４】
図示するように、コリメータ１３は照射野ランプ１３ａを有している。この照射野ランプ１３ａは、操作部１５に接続されている。そして、術者は、操作部１５を操作することによって、照射野ランプ１３ａを点灯させることができる。
【００５５】
さらに、術者がＸ線管３を移動させたり、照射野ランプ１３ａを点灯させるために操作部１５を操作したとき、操作部１５はその操作に関する情報（以下、適宜「操作情報」という）を後述する連動制御部３９に出力する。
【００５６】
Ｘ線撮影装置３１は、さらに人感センサ３７を備えている。人感センサ３７は、コリメータ１３に取り付けられており、Ｘ線管３の照視野Ｃにおいて被検体Ｍの存否を検知する。そして、人感センサ３７は、その検知結果を連動制御部３９に与える。人感センサ３７は、たとえば、人体から出る赤外線を検知して人の存否を非接触で検知する。図４には、人感センサ３７の検知領域ｋを模式的に示す。図示するように、人感センサ３７の検知領域ｋは、照視野Ｃと少なくとも一部が重なることが好ましい。
【００５７】
連動制御部３９は、操作部１５、人感センサ３７及び調光シート２５と電気的に接続されている。連動制御部３９は、操作部１５からの操作情報に基づいて、「Ｘ線管３の移動」、及び、「照射野ランプ１３ａの点灯」がそれぞれ行われているか否かを判断する。連動制御部３９は、この検知結果に基づいて被検体がいるか否かを判定する。そして、連動制御部３９は、操作情報及び検知結果に基づく判断結果及び判定結果に応じて、調光シート２５の印加電圧を変えて、調光シート２５の光の透過率を制御する。
【００５８】
具体的には、被検体Ｍがいない場合において、「Ｘ線管３の移動」または「照射野ランプ１３ａの点灯」が行われているときは、連動制御部３９は調光シート２５に所定の電圧を印加させて調光シート２５を透明にする。反対に、「Ｘ線管３の移動」および「照射野ランプ１３ａの点灯」が行われていないときは、連動制御部３９は調光シート２５の印加電圧を無電圧にして調光シート２５を不透明にする。他方、被検体Ｍがいる場合においては、上述した動作の有無に関わらず、連動制御部３９は調光シート２５を強制的に不透明にする。
【００５９】
次に、実施例２に係る診断用Ｘ線撮影装置２の動作例について説明する。以下では被検体Ｍがいるとき、及び、被検体Ｍがいないときに分けて説明する。
【００６０】
＜１．被検体Ｍがいないとき＞
被検体Ｍが天板５に載置されていないときは、人感センサ３７は被検体Ｍを検知していない。このとき、連動制御部３９は、人感センサ３７の検知結果に基づいて「被検体Ｍがいない」と判定する。
【００６１】
ここで、術者が操作部１５に対してＸ線管３を移動するための操作を行い、Ｘ線管３を移動させると、操作部１５はこれを内容とする操作情報を連動制御部３９に与える。連動制御部３９は操作情報に基づいて「Ｘ線管３の移動」と判断する。そして、連動制御部３９は調光シート２５を透明にする。ＦＰＤ７は調光シート２５越しに明瞭に視認される。よって、術者は、Ｘ線管３を移動させているときにＦＰＤ７を視認することができる。さらには、術者は、Ｘ線管３の移動に応じてＦＰＤ７の位置を適切に修正することができる。
【００６２】
また、術者が操作部１５を操作して照射野ランプ１３ａを点灯させると、操作部１５はその操作情報を連動制御部３９に与える。連動制御部３９は、「照射野ランプ１３ａの点灯」と判断し、調光シート２５を透明にする。これにより、術者は、照射野ランプ１３ａが点灯しているときにＦＰＤ７を調光シート２５越しに視認できるので、ＦＰＤ７を的確に位置合わせすることができる。
【００６３】
＜２．被検体Ｍがいるとき＞
被検体Ｍが天板５に載置させているときは、人感センサ３７は被検体Ｍを検知している。連動制御部３９は、このような検知結果に基づいて「被検体Ｍがいる」と判定する。このため、連動制御部３９は調光シート２５を不透明に維持する。
【００６４】
この場合において、術者がＸ線管３を移動させると、連動制御部３９は「Ｘ線管３の移動」と判断する。しかしながら、連動制御部３９は、「被検体Ｍがいる」と判定しているので、調光シート２５を透明にせず、不透明のまま維持する（すなわち、調光シート２５の光の透過率の制御を、「Ｘ線管３の移動」に連動させない）。
【００６５】
同様に、術者が照射野ランプ１３ａを点灯させると、連動制御部３９は「照射野ランプ１３ａの点灯」と判断する。しかしながら、連動制御部３９は、「被検体Ｍがいる」と判定しているので、調光シート２５を不透明のまま維持する。
【００６６】
この結果、被検体Ｍが天板５に載置されているときは、常に不透明な調光シート２５によってＦＰＤ７が見えない状態に保たれる。
【００６７】
このように、実施例２に係るＸ線撮影装置３１によれば、連動制御部３９は、術者による操作部１５の操作と連動して調光シート２５の光の透過率を制御する。よって、「Ｘ線管３の移動」や「照射野ランプ１３ａの点灯」といった動作が生じたときには、調光シート２５を自動的に透明にすることができる。これにより、Ｘ線管３の移動や照射野ランプ１３ａの点灯の際に、術者は調光シート２５越しにＦＰＤ７を視認でき、ＦＰＤ７の位置合わせを容易に行うことができる。
【００６８】
また、連動制御部３９は人感センサ３７の検知結果に基づいて、被検体Ｍの存否を好適に判定できる。そして、連動制御部３９は被検体Ｍがいると判定しているときは、「Ｘ線管３の移動」や「照射野ランプ１３ａの点灯」といった動作の有無に関係なく、調光シート２５を不透明にする。このように、被検体Ｍがいるときは調光シート２５を強制的に不透明にさせるので、被検体に対する安心感が損なわれないようにすることができる。
【実施例３】
【００６９】
以下、図面を参照してこの発明の実施例３を説明する。なお、実施例１と同じ構成については同符号を付すことで詳細な説明を省略する。図５は、実施例３に係るＸ線撮影装置４１の概略構成を示すブロック図であり、図６は、衝立４５が透明であるときの様子を模式的に示す斜視図であり、図７は、衝立４５が不透明であるときの様子を模式的に示す斜視図である。
【００７０】
実施例３のＸ線管３は、略水平方向にＸ線を照射する姿勢である以外は、実施例１のＸ線管３と同じである。
【００７１】
実施例３のＸ線撮影装置４１は、ＦＰＤ７を昇降可能に支持する立位スタンド４３を備えている。また、Ｘ線撮影装置４１は、ＦＰＤ７と立位スタンド４３との間に配置される衝立（「スクリーン」ともいう）４５を備えている。
【００７２】
衝立４５の縦方向および横方向の各長さは、それぞれ被検体Ｍの高さおよび横幅よりも大きい。この衝立４５の両側の縁部は、上下方向に延びる一対の枠部材４７ａ、４７ｂによってそれぞれ固定されており、衝立４５は張られた状態となっている。枠部材４７ａ、４７ｂの下端は、それぞれ床上に設置されるベース部４９に固定されている。
【００７３】
衝立４５は、調光シート２５のみによって構成されている。したがって、衝立４５の光の透過率は可変である。なお、調光シート２５が衝立４５そのものであるので、本実施例３において「調光シート２５」というときは、「衝立４５」と同義である。
【００７４】
衝立４５が透明になっているときは、図６に示すように、衝立４５を通してＦＰＤ７を視認することができる。また、衝立４５が不透明になっているときは、図７に示すように、衝立４５を通してＦＰＤ７を視認することはできない。
【００７５】
Ｘ線撮影装置４１はさらに、解除スイッチ５１とセンサ制御部５３とを備えている。解除スイッチ５１は立位スタンド４３に設置されて、術者によって操作される。この解除スイッチ５１は後述するセンサ制御部５３に電気的に接続されており、所定の解除命令をセンサ制御部５３に与える。解除スイッチ５１は本発明における解除指示部に相当する。
【００７６】
センサ制御部５３は、さらに人感センサ３７及び調光シート２５と電気的に接続されている。人感センサ３７はその検知結果をセンサ制御部５３に与える。
【００７７】
センサ制御部５３は、解除スイッチ５１から解除命令を受けていない場合においては、人感センサ３７の検知結果に応じて調光シート２５の印加電圧を変えて調光シート２５の光の透過率を制御する。具体的には、センサ制御部５３が検知結果に基づいて被検体Ｍがいないと判定したときは、センサ制御部５３は調光シート２５に所定の電圧を印加させて、衝立４５（調光シート２５）を透明にする。また、センサ制御部５３が検知結果に基づいて被検体Ｍがいると判定したときは、センサ制御部５３は調光シート２５の印加電圧を無電圧にして、衝立４５（調光シート２５）を不透明にする。
【００７８】
他方、センサ制御部５３は、解除スイッチ５１からの命令を受けた場合は、上述した検知結果に応じた制御（換言すれば、被検体Ｍの存否に応じた制御）を解除して、強制的に調光シート２５に所定の電圧を印加させる。これにより、被検体Ｍがいてもいなくても、衝立４５（調光シート２５）は透明になる。
【００７９】
次に、実施例３に係る診断用Ｘ線撮影装置４１の動作例について説明する。
被検体Ｍが衝立４５の前に立っていないときは、人感センサ３７は被検体Ｍを検知しない。この場合、センサ制御部５３は衝立４５を透明にする。ＦＰＤ７は、図６に示すように、衝立４５越しに視認できる。よって、術者は容易にＦＰＤ７の位置合わせを行うことができる。
【００８０】
被検体Ｍが衝立４５の前に立っているときは、人感センサ３７は被検体Ｍを検知する。この場合、センサ制御部５３は衝立４５を不透明にする。ＦＰＤ７は、図７に示すように、衝立４５越しに視認できない。よって、被検体Ｍに安心感を与え易い。
【００８１】
ここで、術者が解除スイッチ５１を操作すると、センサ制御部５３は、人感センサ３７の検知結果に応じた制御を解除し、衝立４５を透明にする。これにより、再び、衝立４５越しにＦＰＤ７を視認することができる。
【００８２】
このように、実施例３に係るＸ線撮影装置４１によれば、センサ制御部５３を備えているので、人感センサ３７の検知結果に基づいて自動的に衝立４５を透明／不透明に切り替えることができる。よって、術者の操作負担を軽減することができる。
【００８３】
また、解除スイッチ５１を備えているので、被検体Ｍが衝立４５の前に立っているときであっても、術者は必要に応じて、衝立４５を透明にすることが可能である。
【００８４】
この発明は、上記実施形態に限られることはなく、下記のように変形実施することができる。
【００８５】
（１）上述した実施例１では、調光スイッチ２７の操作によって調光シート２５を透明と不透明との間で切り替え可能であったが、これに限られない。例えば、被検体Ｍがいる場合には、調光スイッチ２７の操作に関わらず、調光シート２５を不透明に維持するように変更してもよい。
【００８６】
図８に、この変形実施例に係るＸ線撮影装置のブロック図を例示する。なお、実施例１と同じ構成については同符号を付すことで詳細な説明を省略する。図８に示すように、変形実施例に係るＸ線撮影装置６１は、人感センサ３７と、人感センサ３７と調光シート２５に電気的に接続されるロック制御部６３を備える。ロック制御部６３は、被検体Ｍがいるときには、調光スイッチ２７の操作に関わらず、調光シート２５を不透明に維持する。また、被検体Ｍがいないときは、ロック制御部６３は調光スイッチ２７による調光シート２５の透明・不透明の切り替えを許容する。
【００８７】
このようなロック制御部６３を備えた変形実施例によれば、被検体Ｍがいる場合には調光スイッチ２７の操作を無効にすることができる。これにより、被検体Ｍがいる場合に調光シート２５が透明になることを防止できる。よって、被検体Ｍに一層安心感を与え易くすることができる。
【００８８】
なお、ロック制御部６３については、上述のように調光シート２５に接続して調光シート２５を直接的に制御する場合に限られない。たとえば、ロック制御部６３を調光スイッチ２７に接続して、ロック制御部６３が調光スイッチ２７を直接的に制御することによって、調光シート２５を間接的に制御するように構成してもよい。
【００８９】
（２）上述した実施例２では、連動制御部３９による調光シート２５の光の透過率の制御は、「Ｘ線管３の移動」、及び、「照射野ランプ１３ａの点灯」の動作に連動して行っていたが、これに限られない。たとえば、「天板５の移動」、「ＦＰＤ７の移動」、「Ｘ線の照射」などの動作に連動するように連動制御部３９を変更してもよい。
【００９０】
より具体的には、天板５を移動させるために術者が操作する天板操作部、ＦＰＤ７を移動させるために術者が操作するＦＰＤ操作部、または、Ｘ線を照射させるために術者が操作するＸ線照射指示部などを連動制御部に接続する。連動制御部は、これらの操作部／指示部からの操作情報や命令に基づいて「天板５の移動」、「ＦＰＤ７の移動」または「Ｘ線の照射」といった動作の有無を判断し、その判断結果に応じて調光シート２５の光の透過率を制御するように連動制御部を変更する。このような連動制御部によれば、調光シート２５の光の透過率の制御をこれらの動作に好適に連動させることができる。
【００９１】
ここで、連動制御部が調光シート２５を透明にするか不透明にするかは、動作に応じて適宜に選択することができる。たとえば、「ＦＰＤ７の移動」に連動して調光シート２５を透明にすれば、「ＦＰＤ７の移動」の際にＦＰＤ７を視認することができるので、術者はＦＰＤ７の位置合わせを円滑に行うことができる。また、「天板５の移動」や「Ｘ線の照射」に対しては、調光シート２５を不透明にしてもよい。被検体Ｍがいる場面でこれらの動作が行われることが多いため、被検体Ｍに効果的に安心感を与えることができる。
【００９２】
なお、連動制御部は、上述した各動作の全てに連動するように変更してもよいし、上述した各動作の少なくともいずれかの動作に連動するように変更してもよい。
【００９３】
（３）上述した実施例２では、連動制御部３９は、操作部１５の操作情報に基づいて所定の動作の有無を判断するものであったが、これに限られない。例えば、所定の動作を検知する動作検知部を備え、この動作検知部の検知結果に基づいて所定の動作の有無を判断するように変更してもよい。
【００９４】
図９を参照する。図９は、変形実施例に係るＸ線撮影装置７１のブロック図である。図示するように、支柱１１は固定レール７３及び可動レール７５によって、水平２方向に移動可能に支持されている。具体的には、固定レール７３は、撮影室の天井に固定的に設置されており、可動レール７５をＸ方向に移動可能に支持している。可動レール７５は支柱１１をＹ方向に移動可能に支持している。
【００９５】
さらに、この変形実施例に係るＸ線撮影装置７１は、固定レール７３に対する可動レール７５の移動を検出する第１検知部８１と、可動レール７５に対する支柱１１の移動を検出する第２検知部８３と、支柱１１自体の上下方向（Ｚ方向）の伸縮を検出する第３検知部８５を備えている。第１乃至第３検知部８１、８３、８５は、例えばポテンショメータやエンコーダ等によって構成されている。ここで、第１乃至第３検知部８１、８３、８５は、本発明における動作検知部に相当する。
【００９６】
これら各検知部８１、８３、８５は連動制御部８７に接続されており、各検知結果を連動制御部８７に出力する。連動制御部８７は、これらの検知結果に基づいて、Ｘ線管３が移動しているか否かを判断する。
【００９７】
このように、第１乃至第３検知部８１、８３、８５を備えることで、連動制御部８７は好適に「Ｘ線管３の移動」の有無を判断することができる。なお、この変形実施例では「Ｘ線管３の移動」の有無を判断する場合を例示したが、これに限られない。第１乃至第３検知部８１、８３、８５を適宜に変更することで、連動制御部８７は種々の動作についても好適に判断することができる。
【００９８】
（４）上述した実施例１、２では、天板５はアクリル板２３と調光シート２５とによって構成されていたが、これに限られない。例えば、天板５を調光板のみで構成するように変更してもよい。
【００９９】
図９を参照する。図示するように、天板５は調光板８９のみによって構成されている。換言すれば、調光板８９は天板５そのものを構成する。この調光板８９は、液晶層と、この液晶層を両側から挟むように設けられる一対の透明電極とを備えている（いずれも図示省略）。一対の透明電極はそれぞれ比較的に機械的強度の高い基板上に設けられている。これにより、調光板８９自体が、被検体Ｍを撓むことなく支持可能な機械的強度（剛性）を有している。基板の材質としては、樹脂やガラス等が例示される。調光板８９は、本発明における調光部材に相当する。
【０１００】
（５）上述した実施例１、２の調光シート２５は天板５の上面全体に及ぶ範囲に設けられていたが、これに限られない。すなわち、調光シート２５を天板５の上面の一部に設けるように変更してもよい。
【０１０１】
（６）上述した実施例３は、調光シート２５は衝立４５そのものを構成していたが、これに限られない。たとえば、衝立４５を構成する複数の要素の一つとして調光シート２５を用いてもよい。この場合においては、調光シート２５を衝立４５の全体に及ぶ範囲に設置してもよいし、衝立４５の一部の範囲に設けてもよい。
【０１０２】
（７）上述した各実施例では、調光スイッチ２７、連動制御部３９およびセンサ制御部５３は、調光シート２５を透明及び不透明の２段階のみに切り替えたが、これに限られない。調光シート２５の印加電圧を適宜に選択、設計して、調光シート２５の光の透過率を多段階に、あるいは、無段階に変えるように調光スイッチ２７等を構成してもよい。
【０１０３】
また、上述した各実施例では、調光シート２５を透明及び不透明にする場合を例示したが、厳密に透明または不透明であることを要しない。たとえば、透明と言えるほど光の透過率が高くなくても、調光シート２５越しにＦＰＤ７を容易に視認できる程度に光の透過率が高ければ、ＦＰＤ７の位置合わせを容易に行うことができる。また、不透明と言えるほど光の透過率が低くなくても、調光シート２５越しにＦＰＤ７を容易に視認できない程度に光の透過率が低ければ、被検体に安心感を与え易くすることができる。
【０１０４】
（８）上述した各実施例では、調光シート２５は液晶層を有するものを例示したが、これに限られない。微粒子の分極配向を利用した調光シートや電荷移動を利用した調光シートに適宜に変更してもよい。また、エレクトロルミック方式の調光シートに変更してもよい。
【０１０５】
（９）上述した各実施例では、調光シート２５が不透明であるときは白濁した状態を例示したが、これに限られない。たとえば、調光シート２５を不透明にしたときに調光シート２５が水色等の所定の色を有するように変更してもよい。これによれば、被検体Ｍに一層安心間を与え易くすることができる。
【０１０６】
（１０）上述した実施例１、２では調光シート２５は天板５を構成し、実施例３では調光シート２５は衝立４５を構成していたが、これに限られない。たとえば、天板５または衝立４５とは別個に設けられる調光シートを備えるように変更してもよい。具体的には、ＦＰＤ７の検出面上に調光シートを配置してもよい。この場合、ＦＰＤ７と一体に水平移動可能に調光シートを設けることが好ましい。これによれば、ＦＰＤ７が移動しても調光シートとＦＰＤ７の位置関係を適切に保つことができる。
【０１０７】
（１１）上述した実施例１、２に係る天板５は、アクリル板２３を備えていたが、これに限られない。たとえば、アクリル板２３をアクリル以外の樹脂製またはガラス製の支持板に変更してもよい。
【０１０８】
（１２）上述した実施例２、３の人感センサ３７は、人体から出る赤外線を検知するものであったが、これに限られない。例えば、人体の接近を検知する近接センサで構成してもよい。または、カメラによって撮像された画像を処理して人の存否を判断する画像式を採用してもよい。あるいは、重力感知センサやタッチセンサによって直接、人体に接触して人の存否を検知してもよい。また、このような人感センサの構成、方式に応じて、人感センサの設置場所も、天板５、撮影室の床など適宜に変更してもよい。
【０１０９】
（１３）上述した実施例３では、解除スイッチ５１の解除命令によって、強制的に調光シート２５を透明にさせたが、これに限られない。たとえば、解除命令によって、人感センサ３７の検知結果に応じた制御を解除して、術者の手動操作に応じて調光シート２５の光の透過率を制御するように（すなわち、術者によるマニュアル操作に）切り替えるようにしてもよい。この場合には、調光シート２５に印加される電圧を変えて調光シート２５の光の透過率を調節する透過率調節部をさらに備えることで、術者は好適にマニュアル操作を行うことができる。
【０１１０】
同様に、上述した実施例２では、連動制御部３９は「被検体Ｍがいる」と判定したときは、調光シート２５を強制的に不透明にしたが、これに限られない。たとえば、「被検体Ｍがいる」と判定したときは、術者によるマニュアル操作に切り替えるように変更してもよい。
【０１１１】
（１４）上述した各実施例では、検出器としてＦＰＤ７を備えていたが、これに限られない。Ｉ．Ｉ．（イメージインテンシファイア）管やＸ線フィルムを検出器としてもよい。
【０１１２】
（１５）上述した各実施例または上述の各変形実施例について、それらに含まれる構成を、さらに他の実施例、変形実施例の構成に置換または組み合わせるなどして適宜に変更してもよい。
【符号の説明】
【０１１３】
１、３１、４１、６１、７１  …  Ｘ線撮影装置
３  …  Ｘ線管
５  …  天板
７  …  フラットパネル型Ｘ線検出器、ＦＰＤ（検出器）
９  …  撮影テーブル
１３ａ  …  照射野ランプ
１５  …  操作部
２３  …  アクリル板
２５  …  調光シート（調光部材）
２７  …  調光スイッチ（透過率調節部）
３７  …  人感センサ
３９、８７  …  連動制御部
４３  …  立位スタンド
４５  …  衝立
５１  …  解除スイッチ（解除指示部）
５３  …  センサ制御部
６３  …  ロック制御部
８１  …  第１検知部（動作検知部）
８３  …  第２検知部（動作検知部）
８５  …  第３検知部（動作検知部）
８９  …  調光板（調光部材）
Ｍ  …  被検体
Ｃ  …  照射野
ｋ  …  検知領域
【図１】
2013116140.tif 000003
【図２】
2013116140.tif 000004
【図３】
2013116140.tif 000005
【図４】
2013116140.tif 000006
【図５】
2013116140.tif 000007
【図６】
2013116140.tif 000008
【図７】
2013116140.tif 000009
【図８】
2013116140.tif 000010
【図９】
2013116140.tif 000011